(57)【要約】【課題】従来、原稿の重送が検知された場合に、重送された原稿と、それまでに読み取りが完了した原稿とについて問題を確認させつつ、十分なユーザ支援を行う仕組みが提供されていなかった。【解決手段】本発明は、重送が検知された場合に、重送が検知されたことを示すメッセージと、読み取りが行われた１以上の原稿に対応する画像データと、を含むプレビューを提供し、さらに、当該プレビューにおいて、重送の検知に対する対処もあわせて提供することを特徴とする。【選択図】図７
2020039022.tif 000002
【特許請求の範囲】
【請求項１】
連続的に搬送される複数の原稿を読み取り、各原稿に対応する画像データを生成する生成手段と、搬送される原稿の重送を検知する検知手段と、を有する画像処理装置であって、
前記複数の原稿の読み取りに際して前記検知手段により重送が検知された場合に、重送が検知されたことを示すメッセージと、読み取りが行われた１以上の原稿に対応する画像データと、を含むプレビューを提供する提供手段を有し、
前記プレビューにおいて、重送の検知に対する対処として、前記複数の原稿の読み取りに応じた前記画像処理装置における処理のキャンセルのための第１の選択肢と、重送が検知された原稿よりも前の指定原稿からの再読み取りのための第２の選択肢とが、提供されることを特徴とする画像処理装置。
【請求項２】
前記プレビューにおける第２の選択肢について、再読み取りの開始原稿を任意に指定するためのコントロールがさらに提供されることを特徴とする請求項１に記載の画像処理装置。
【請求項３】
前記コントロールでは、デフォルトとして、重送が検知された原稿よりも前の１ページ前の原稿から再読み取りが開始されるよう指定されていることを特徴とする請求項２に記載の画像処理装置。
【請求項４】
前記プレビューにおいて、重送の検知に対する対処として、さらに、全ての原稿の再読み取りのための第３の選択肢がさらに提供されることを特徴とする請求項１乃至３のいずれか１項に記載の画像処理装置。
【請求項５】
前記プレビューにおいて、重送が検知された原稿が識別できる画像をさらに提供することを特徴とする請求項１乃至４のいずれか１項に記載の画像処理装置。
【請求項６】
前記プレビューの提供を無効にする設定手段をさらに有し、
前記提供手段は、前記複数の原稿の読み取りに際して前記検知手段により重送が検知された際には、前記プレビューの提供が無効に設定されていた場合であっても、前記プレビューを提供することを特徴とする請求項１乃至５のいずれか１項に記載の画像処理装置。
【請求項７】
前記検知手段が原稿の重送を検知した場合に、原稿の読み取りを中断することを特徴とする請求項１乃至６のいずれか１項に記載の画像処理装置。
【請求項８】
連続的に搬送される複数の原稿を読み取り、各原稿に対応する画像データを生成する生成手段と、搬送される原稿の重送を検知する検知手段と、を有する画像処理装置における制御方法であって、
前記複数の原稿の読み取りに際して前記検知手段により重送が検知された場合に、重送が検知されたことを示すメッセージと、読み取りが行われた１以上の原稿に対応する画像データと、を含むプレビューを提供する提供工程を有し、
前記プレビューにおいて、重送の検知に対する対処として、前記複数の原稿の読み取りに応じた前記画像処理装置における処理のキャンセルのための第１の選択肢と、重送が検知された原稿よりも前の指定原稿からの再読み取りのための第２の選択肢とが、提供されることを特徴とする制御方法。
【請求項９】
請求項１乃至７のいずれか１項に記載の各手段としてコンピュータを機能させるためのプログラム。
【発明の詳細な説明】
【技術分野】
【０００１】
本発明は、連続的に原稿を読み取る読取手段を有する画像処理装置、画像処理装置の制御方法、及びプログラムに関するものである。
【背景技術】
【０００２】
従来、原稿台に設置された複数枚の原稿を１枚ずつ分離して搬送路に給送し、連続的に原稿を読み取る画像処理装置において、原稿の重送を検知する手段が設けられているものがある。そのような画像処理装置の中には、原稿の重送を検知する機能のＯＮまたはＯＦＦをユーザが選択して設定できるものがある。
【０００３】
そして、ユーザが重送検知機能をＯＮに設定した場合、搬送中に原稿の重送が発生したことを検知すると、画像処理装置はスキャナの動作を停止して、読み取りエラーが発生したことを通知する。一方、ユーザが重送検知機能をＯＦＦに設定した場合は、重送が発生しても、画像処理装置はそのまま原稿の読み取りを継続し、画像データを作成する。
スキャン処理に関して検出されるエラーには、他にもジャムと呼ばれるエラーもある。これは、スキャンのための搬送路の途中で原稿がつまってしまうエラーであり、ジャムが発生した場合は読み取りエラーが発生したことが通知される。この場合には、重送検知とは異なり、ユーザが詰まってしまった原稿を搬送路から取り除かない限り、スキャン処理が再開できない。
ここで、特許文献１には、重送検知をエラーとして通知した場合に、画像読取の再開を重送検知した原稿から行うか、重送検知した原稿の次の原稿から行うか、画像読取全体を中止するか（キャンセル）の選択が行える、といった開示がある。
【先行技術文献】
【特許文献】
【０００４】
【特許文献１】特開２００８−２７１５３７号公報
【発明の概要】
【発明が解決しようとする課題】
【０００５】
原稿の重送が検知された場合には、重送された原稿以外にも、読み取りが完了した原稿に対応する画像にずれなど無いか問題を確認し、対処すべきだと考えられる。しかしながら、上述の従来技術では、その点を考慮した十分なユーザ支援が行われていなかった。
【課題を解決するための手段】
【０００６】
本発明は、連続的に搬送される複数の原稿を読み取り、各原稿に対応する画像データを生成する生成手段と、搬送される原稿の重送を検知する検知手段と、を有する画像処理装置であって、前記複数の原稿の読み取りに際して前記検知手段により重送が検知された場合に、重送が検知されたことを示すメッセージと、読み取りが行われた１以上の原稿に対応する画像データと、を含むプレビューを提供する提供手段を有し、前記プレビューにおいて、重送の検知に対する対処として、前記複数の原稿の読み取りに応じた前記画像処理装置における処理のキャンセルのための第１の選択肢と、重送が検知された原稿よりも前の指定原稿からの再読み取りのための第２の選択肢とが、提供されることを特徴とする。
【発明の効果】
【０００７】
本発明によれば、原稿の重送が検知された場合に、重送された原稿も含め、読み取りが完了した原稿に関しても問題を確認させつつ、十分なユーザ支援を提供することができるようになる。
【図面の簡単な説明】
【０００８】
【図１】画像処理システムの全体図である。
【図２】ＭＦＰの構成を示すブロック図である。
【図３】ファイルサーバの構成を示すブロック図である。
【図４】宛先設定の際に表示される操作画面の一例である。
【図５】重送検知設定の際に表示される操作画面の一例である。
【図６】ＭＦＰの動作を示すフローチャートである。
【図７】リカバリ方法設定の際に表示される操作画面の一例である。
【図８】すべての原稿の再読み取りを指示する際に表示される操作画面の例である。
【図９】指定のページから原稿の再読み取りを指示する際に表示される操作画面の例である。
【発明を実施するための形態】
【０００９】
以下、本発明を実施するための形態について図面を用いて説明する。
なお、以下の実施形態は特許請求の範囲に係る発明を限定するものでなく、また、実施の形態で説明されている特徴の組み合わせのすべてが本発明の解決手段に必須のものであるとは限らない。
【００１０】
図１は、画像処理システム１００の全体図である。
図示されているように、ＬＡＮ（Local Area Network）１０３上には、ＭＦＰ（Multifunction Peripheral：複合機）１０１とファイルサーバ１０２とが、互いに通信可能に接続されている。
ここで、ＭＦＰ１０１は、画像処理装置の一例である。また、ファイルサーバ１０２は、ファイル管理装置の一例である。
【００１１】
ＭＦＰ１０１は、ファイルサーバ１０２内のフォルダを宛先として、ＳＭＢ（Server Message Block）やＦＴＰ（File Transfer Protocol）などのプロトコルを用い、画像データのファイル送信を行うことができる。また、ＭＦＰ１０１は、ファイルサーバ１０２以外にも、図示しないクライアントＰＣ内のフォルダを宛先とすることもできる。
また、ＭＦＰ１０１は、図示しないメールサーバを介して、画像データを電子メールで送信することができる。
なお、本実施形態においては、画像処理システム１００は、ＭＦＰ１０１とファイルサーバ１０２を含むものと称しているが、ＭＦＰ１０１のみを画像処理システムと称することもできる。
【００１２】
図２は、ＭＦＰ１０１の構成を示すブロック図である。
ＭＦＰ１０１内にはＣＰＵ２１１を含む制御部２１０が備えられている。制御部２１０はＭＦＰ１０１全体の動作を制御する。
ＣＰＵ２１１は、ＲＯＭ２１２に記憶された制御プログラムを読み出して、読取制御や送信制御などの各種制御を行う。
ＲＡＭ２１３は、ＣＰＵ２１１の主メモリ、ワークエリア等の一時記憶領域として用いられる。
【００１３】
なお、画像処理装置がＭＦＰ１０１である場合は、１つのＣＰＵ２１１が１つのメモリ（ＲＡＭ２１３またはＨＤＤ２１４）を用いて、後述する図６のフローチャートに示す各処理を実行するものとする。
但し、各処理を実行する際には、他の態様であってもよい。例えば、複数のＣＰＵや複数のＲＡＭまたはＨＤＤを協働させて、図６のフローチャートに示す各処理を実行するようにしてもよい。
【００１４】
ＨＤＤ２１４は、画像データや各種プログラムを記憶する。
操作部Ｉ／Ｆ２１５は、操作部２１９と制御部２１０を接続する。操作部２１９には、タッチパネル機能を有する液晶表示部やキーボードなどが備えられる。
プリンタＩ／Ｆ２１６は、プリンタ２２０と制御部２１０を接続する。プリンタ２２０で印刷される画像データは、プリンタＩ／Ｆ２１６を介して制御部２１０から転送され、プリンタ２２０において記録媒体上に印刷される。
【００１５】
スキャナＩ／Ｆ２１７は、スキャナ２２１と制御部２１０を接続する。スキャナ２２１は、オートドキュメントフィーダー（ＡＤＦ）などで連続的に搬送される原稿上の画像を読み取って、読み取った情報から画像データを生成する。これにより、スキャナ２２１は、各原稿に対応して生成された画像データを含むファイルを作成して、ＨＤＤ２１４に保存できる。また、スキャナ２２１は、スキャナＩ／Ｆ２１７を介して画像データを制御部２１０に入力する。ＭＦＰ１０１は、スキャナ２２１で変換された画像データを含むファイルをファイル送信またはメール送信することができる。
なお、スキャナ２２１には、重送が発生したことを検知する重送検知手段（不図示）が設けられており、連続的に搬送される原稿が２重に搬送（重送）された場合、重送検知手段が重送を検知する。
【００１６】
ネットワークＩ／Ｆ２１８は、制御部２１０（ＭＦＰ１０１）をＬＡＮ１０３に接続する。ネットワークＩ／Ｆ２１８は、ＬＡＮ１０３上の外部装置（例えば、ファイルサーバ１０２）に画像データや情報を送信したり、ＬＡＮ１０３上の外部装置から各種情報を受信したりする。
【００１７】
図３は、ファイルサーバ１０２の構成を示すブロック図である。
ファイルサーバ１０２内にはＣＰＵ３１１を含む制御部３１０が備えられている。制御部３１０はファイルサーバ１０２全体の動作を制御する。
ＣＰＵ３１１は、ＲＯＭ３１２に記憶された制御プログラムを読み出して、各種制御処理を実行する。
ＲＡＭ３１３は、ＣＰＵ３１１の主メモリ、ワークエリア等の一時記憶領域として用いられる。
ＨＤＤ３１４は、画像データや各種プログラムを記憶する。
【００１８】
ネットワークＩ／Ｆ３１５は、制御部３１０（ファイルサーバ１０２）をＬＡＮ１０３に接続する。ネットワークＩ／Ｆ３１５は、ＬＡＮ１０３上の他の装置との間で各種情報を送受信する。
【００１９】
図４は、宛先を設定するために、ＭＦＰ１０１の操作部２１９に表示される操作画面４００の一例を示している。図４に示される操作画面４００は、原稿をスキャナ２２１で読み取って生成された画像データについて、ファイル送信またはメール送信を実行するときに表示される。
【００２０】
表示部４０１には、画像データを送信する宛先が表示される。本実施形態では、後述する表示部４０６または４０７において指定された宛先が表示される。
【００２１】
表示部４０２には、スキャナ２２１で原稿を読み取る際のカラー設定を選択するための操作キーが表示される。本実施形態のＭＦＰ１０１では、カラー、グレースケール、自動のいずれかを選択可能である。但し、これら以外の読み取り方法が選択肢として含まれていてもよい。
ユーザは、表示部４０２においてドロップダウン形式で表示される選択肢の中から、所望のカラー設定を選択することができる。
【００２２】
表示部４０３には、スキャナ２２１で原稿を読み取る際の解像度を選択するための操作キーが表示される。本実施形態のＭＦＰ１０１では、１００×１００、２００×２００、３００×３００のいずれかを選択可能であるものとする。但し、これら以外の解像度が選択肢として含まれていてもよい。
ユーザは、表示部４０３においてドロップダウン形式で表示される選択肢の中から、所望の解像度を選択することができる。
【００２３】
表示部４０４には、スキャナ２２１で読み取った画像データを操作部２１９でプレビュー表示するか否かを選択するための選択キーが表示される。
ユーザがプレビュー表示をＯＮに設定した場合、スキャナ２２１で原稿を読み取ると、読み取られた原稿上の画像が画像データとして操作部２１９に表示される。一方、ユーザがプレビュー表示をＯＦＦに設定した場合、スキャナ２２１で原稿を読み取っても、画像データは操作部２１９に表示されない。
【００２４】
表示部４０５には、スキャナ２２１で原稿を読み取った際に原稿が重送された場合に、スキャナ２２１の動作を停止させるか否かを選択するための選択キーが表示される。
ユーザが重送検知を有効（ＯＮ）に設定した場合、原稿が重送されると、ＭＦＰ１０１はスキャナ２２１を停止して、処理を途中で中断させる。一方、ユーザが重送検知を無効（ＯＦＦ）に設定した場合、原稿を重送した場合であっても、ＭＦＰ１０１はスキャナを停止させずに、原稿の読み取りと画像データの作成を継続する。
【００２５】
表示部４０６には、ＭＦＰ１０１のＨＤＤ２１４に保存されている送信宛先の一覧が表示される。表示部４０６に表示された送信宛先の一覧から、ユーザが１つの送信宛先を選択すると、選択された宛先が表示部４０１に表示される。
表示部４０７には、画像データを送信する宛先を入力するための画面が表示される。ユーザが表示部４０７において宛先を入力すると、入力された宛先が表示部４０１に表示される。
【００２６】
表示部４０８には、図４で入力された設定にしたがい、原稿の読み取り、画像データの送信を実行させるためのスタートキーが表示される。ユーザが表示部４０８に表示されたスタートキーを押下すると、原稿の読み取りや画像データの送信が開始する。
【００２７】
図５は、重送が検知された際の処理を設定するために、ＭＦＰ１０１の操作部２１９に表示される操作画面５００の一例を示している。図５に示される操作画面５００は、重送を検知した場合のＭＦＰ１０１の動作を、ユーザが予め設定する際に表示される。
【００２８】
表示部５０１及び５０２には、それぞれ、重送が検知されたときにプレビュー画面を強制的に表示する機能を有効（ＯＮ）または無効（ＯＦＦ）に設定するための選択キーが表示される。
ユーザが表示部５０１に表示された選択キーを押下すると、プレビュー表示がＯＮに設定される。この場合、ＭＦＰ１０１が重送を検知すると、図４の操作画面４００において表示部４０４でプレビュー表示がＯＦＦに設定されていたとしても、プレビュー画面が必ず表示される。
一方、ユーザが表示部５０２に表示された選択キーを押下すると、プレビュー表示がＯＦＦに設定される。この場合、ＭＦＰ１０１が重層を検知しても、プレビュー画面が強制的に表示されることはない。そして、図４の操作画面４００において表示部４０４で設定されたプレビュー表示にしたがい、プレビュー画面が表示または非表示となる。
【００２９】
表示部５０３には、ＭＦＰ１０１が重層を検知した際に、原稿の読み取りの再開（リカバリ）をする先頭のページを予め指定するための操作キーがドロップダウン形式により表示される。ユーザは、表示部５０３にドロップダウン形式で表示される選択肢の中から、所望のページを選択することができる。表示部５０３で示すコントロールでは、デフォルトとして、重送が検知された原稿よりも１ページ前の原稿であることを示す、“１”が指定されている。
この機能を設けるのは、重送が発生した場合、実際に重送が発生した原稿において初めて読み取りのずれが発生したとは限られず、それより前に読み取っていた原稿から読み取りのずれの発生が始まっていたことがあるからである。
本実施形態では、後述する図７の操作画面７００において指定された値が初期値として表示される。なお、後述するように、この初期値は図７の操作画面７００において変更することができる。
【００３０】
図６は、スキャナ２２１で原稿を読み取ってから画像データを送信するまでの、ＭＦＰ１０１の動作を説明するフローチャートである。
図６のフローチャートに示される各動作（ステップ）は、ＭＦＰ１０１のＣＰＵ２１１がＨＤＤ２１４に記憶された制御プログラムを実行することにより実現される。なお、本フローチャートが開始する時点において、原稿がスキャナ２２１のフィーダーに載置されているものとする。
【００３１】
まず、Ｓ６０１において、ＭＦＰ１０１は、図４の操作画面４００において表示部４０８に表示されたスタートキーがユーザによって押下されるまで待機する。スタートキーが押下されると、Ｓ６０２へ進む。
【００３２】
Ｓ６０２において、ＭＦＰ１０１は、スキャナ２２１のフィーダーに載置されている原稿を読み取るために、原稿の搬送を開始する。原稿を１枚搬送したら、Ｓ６０３へ進む。
Ｓ６０３において、ＭＦＰ１０１は、搬送した原稿を重送していないかを検知する。
重送していなければ、Ｓ６０４へ進む。重送していれば、Ｓ６０９へ進む。
【００３３】
搬送した原稿が重送されていない場合、Ｓ６０４において、ＭＦＰ１０１は、スキャナ２２１において搬送した原稿の画像を読み取り、画像データに変換する。画像データが作成されたら、Ｓ６０５に進む。
Ｓ６０５において、ＭＦＰ１０１はＳ６０４で作成した画像データをＨＤＤ２１４に保存する。画像データの保存が完了したら、Ｓ６０６へ進む。
Ｓ６０６において、ＭＦＰ１０１は読み取った原稿をスキャナ２２１のフィーダーから排出する。原稿の排出が完了したら、Ｓ６０７へ進む。
【００３４】
Ｓ６０７において、ＭＦＰ１０１はフィーダーに原稿が残っているかを確認する。
原稿があれば、Ｓ６０２へ戻る。原稿がなければ、Ｓ６０８へ進む。
フィーダーに原稿が残っていない場合、Ｓ６０８において、ＭＦＰ１０１は作成したすべての画像データを図４の操作画面４００の表示部４０１に表示されている宛先に送信する。そして、本フローチャートを終了する。
【００３５】
Ｓ６０３において搬送した原稿の重送を検知した場合、Ｓ６０９において、ＭＦＰ１０１は、図５の重送検知設定の操作画面５００における表示部５０１または５０２による設定を確認する。
表示部５０１が選択されることによりプレビュー表示がＯＮに設定されている場合、Ｓ６１０へ進む。一方、表示部５０２が選択されることによりプレビュー表示がＯＦＦに設定されている場合、Ｓ６０４へ進む。
【００３６】
図５の操作画面５００でプレビュー表示がＯＮに設定されている場合、Ｓ６１０において、ＭＦＰ１０１は、図５の操作画面５００の表示部５０３において指定されている、重層検知時における読み取りの再開（リカバリ）をする先頭ページの初期値を取得する。そして、Ｓ６１１へ進む。
Ｓ６１１において、ＭＦＰ１０１は読み取ったすべての原稿の画像データのプレビュー画面（図７を参照）の表示を提供する。そして、Ｓ６１２に進み、図７の操作画面７００においてユーザからの入力を待つ。
【００３７】
図７は、リカバリ方法を設定するために、ＭＦＰ１０１の操作部２１９に提供される操作画面７００の一例を示している。図７に示される操作画面７００は、ＭＦＰ１０１が重送を検知した場合に表示される。
操作画面７００の上部には、重送が検知されたことを示すメッセージが表示される。
表示部７０１から７０４には、Ｓ６０４において原稿をスキャナ２２１で読み取って作成し、Ｓ６０５においてＨＤＤ２１４に保存した画像データが表示されている。
なお、本実施形態では、表示部７０１から７０３にはスキャナ２２１により正常に読み取られた１以上の原稿の画像データが表示されているが、表示部７０４には読み取り時にずれが発生した原稿の画像データが表示されている。
【００３８】
表示部７０５には、図６のＳ６０３において検出した、重送された原稿のサムネイルが表示されている。本実施形態では、重送を検知した段階でスキャナ２２１を停止しているため、重送された原稿の画像データは作成されていない。このため、重送された原稿について、重送が発生したことが識別できるように表示をする。本実施形態では「！」が表示されているが、他の形態で表示してもよい。
【００３９】
表示部７０６から７０９には、重送が発生したことによる読み取りの再開（リカバリ）を行うための操作キーが表示される。ユーザは、これらの操作キーを操作することにより、これらの操作キーとして示される選択肢の中から、重送が検知された場合の対処を選択することができる。
表示部７０６は、それまでに作成された画像データをすべて削除して、改めてすべての原稿を読み取ることを実行するときに押下するための実行キーが表示される。
【００４０】
表示部７０７と７０８には、指定されたページから再度原稿の読み取りを行うための実行キーが表示される。
表示部７０７で示すコントロールには、表示部７０５に表示されている、重送された原稿の何ページ前の原稿から読み取りを再開するかを指定するための操作キーが表示される。ユーザは、ドロップダウン形式で表示される選択肢の中から、原稿の再読み込みを開始する開始原稿として、任意の数を指定することができる。その際に表示される初期値は、図５の操作画面５００の表示部５０３で指定された値である。
表示部７０８には、表示部７０７で指定されたページである指定原稿から原稿の読み取りを実行するために押下する実行キーが表示される。
【００４１】
なお、重送が発生した場合、重送が検知された原稿よりも前のページにおいて、読み取りを行ったときに、すでにずれが生じていたことが原因であることがある。そのため、本実施形態では、発生したページより前のページから読み取ることができるように設定を設けている。
表示部７０９には、画像データの送信をキャンセルする指示を実行するための実行キーが表示される。
【００４２】
図６の説明に戻り、Ｓ６１１で表示された操作画面７００において、表示部７０６に表示された実行キーをユーザが押下した場合、Ｓ６１２において、ＭＦＰ１０１はすべてのページを再読み取りすると判断して、Ｓ６１３へ進む。
一方、Ｓ６１１で表示された操作画面７００において、表示部７０８または７０９に表示された実行キーをユーザが押下した場合は、Ｓ６１５へ進む。
操作画面７００の表示部７０６に表示された実行キーが押下された場合、Ｓ６１３において、ＭＦＰ１０１は、すべての原稿を再びフィーダーに載置するようにユーザに指示する画面（図８を参照）を表示する。
【００４３】
図８は、ユーザにすべての原稿の再読み取りを指示するために、ＭＦＰ１０１の操作部２１９に表示される操作画面８００の例を示している。図８に示される操作画面８００は、図７の操作画面７００において表示部７０６に表示された実行キーが押下された場合に表示される。
表示部８０１には、スキャナ２１１から原稿の読み取りを実行するためのスタートキーが表示される。
【００４４】
図６の説明に戻り、Ｓ６１３で表示された操作画面８００において表示部８０１に表示されたスタートキーが押下されたら、Ｓ６１４へ進む。
Ｓ６１４において、ＭＦＰ１０１は、ＨＤＤ２１４に保存されているすべての画像データを削除する。そして、Ｓ６０２へ戻る。
【００４５】
Ｓ６１１で表示された操作画面７００において、表示部７０８または７０９に表示された実行キーが押下された場合、Ｓ６１５において、ＭＦＰ１０１は、表示部７０８または７０９に表示された実行キーのいずれかが押下されたかを判断する。
Ｓ６１５において図７の操作画面７００において表示部７０８に表示された実行キーが押下された場合、ＭＦＰ１０１は指定ページからの再読み取りであると判断して、Ｓ６１６へ進む。
Ｓ６１６において、ＭＦＰ１０１は、指定したページからの原稿を再びフィーダーに載置してもらうようにユーザに指示する画面（図９を参照）を表示する。
【００４６】
図９は、ユーザに指定のページから原稿の再読み取りを指示するために、ＭＦＰ１０１の操作部２１９に表示される操作画面９００の例を示している。図９に示される操作画面９００は、図７の操作画面７００において表示部７０８に表示された実行キーが押下された場合に表示される。
表示部９０１には、スキャナ２１１から原稿の読み取りを実行するためのスタートキーが表示される。
【００４７】
図６の説明に戻り、Ｓ６１６で表示された操作画面９００において表示部９０１に表示されたスタートキーが押下されたら、Ｓ６１７へ進む。
Ｓ６１７において、ＭＦＰ１０１は、ＨＤＤ２１４に保存されている、重送されたページから指定のページ数まで前の画像データを削除する。そして、Ｓ６０２へ戻る。
【００４８】
Ｓ６１５において表示部７０９に表示された実行キーが押下された場合、ＭＦＰ１０１は読み取りがキャンセルされたと判断して、Ｓ６１８へ進む。
Ｓ６１８において、ＭＦＰ１０１は、ＨＤＤ２１４に保存されているすべての画像データを削除する。そして、本フローチャートを終了する。
【００４９】
（応用例）
ＭＦＰ１０１は、重送検知設定を有効／無効にする設定とは別に、スキャンプレビュー機能を有している。この機能は、スキャンしながら、もしくは、読み取り対象としてセットされた全ての原稿のスキャンが完了した場合に、操作画面７００に生成された画像データのサムネイルや縮小画像を表示する機能である。
ここで、スキャンプレビュー機能を有効にしたうえで、ユーザが図４で示す重送検知設定４０５を無効（ＯＦＦ）に設定した場合のことを想定する。このようなケースでは、スキャン処理の途中で重送が発生していた場合には、全ての原稿のスキャンが完了した後の操作画面７００では重送されてしまった部分の画像データも表示されることになる。ここで、図７に示すようなメッセージが無ければ、ユーザにとっては、復旧方法がわからない、もしくは、重送したことによる画像不良を見逃すといった、懸念がある。つまり、スキャンプレビュー機能の十分な活用ができていないことになる。
そこで、本応用例では、重送検知設定４０５が無効（ＯＦＦ）であっても、スキャンプレビュー機能が有効であれば、ＭＦＰ１０１が内部的に重送検知を自動で実行するように設定する。これにより、スキャン完了後の操作画面７００でのプレビューにおいて、重送が発生した可能性がある旨の通知を行うことができる。さらには、プレビュー上で、図７で示すリカバリ方法も追加表示することも可能である。
【００５０】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
また、本発明は、複数の機器から構成されるシステムに適用しても、１つの機器からなる装置に適用してもよい。
本発明は上記実施形態に限定されるものではなく、本発明の趣旨に基づき種々の変形が可能であり、それらを本発明の範囲から除外するものではない。すなわち、上述した各実施例及びその変形例を組み合わせた構成もすべて本発明に含まれるものである。
【符号の説明】
【００５１】
１０１      ＭＦＰ
２１１      ＣＰＵ
２１４      ＨＤＤ
２１９      操作部
２２１      スキャナ
【図１】
2020039022.tif 000003
【図２】
2020039022.tif 000004
【図３】
2020039022.tif 000005
【図４】
2020039022.tif 000006
【図５】
2020039022.tif 000007
【図６】
2020039022.tif 000008
【図７】
2020039022.tif 000009
【図８】
2020039022.tif 000010
【図９】
2020039022.tif 000011